(57)【要約】【課題】ハーネスの着脱を可能にしながらハーネスの不正な交換を防止する。【解決手段】ベース板４０は、背面を筐体１６の奥壁５２に対面させる係止位置と、背面を奥壁５２に略垂直にする起立位置との間で回動自在に支持される。ベース板ロック機構５４は、ベース板４０を係止位置に係止するロック位置と、前記係止を解除するロック解除位置との間で移動自在のロック部材５８を備えている。コネクタカバー４２は、ベース板４０の固定端側へ向けてスライドされてベース板４０に取り付けられ、コネクタ４４を覆い、ベース板４０の自由端側へ向けてスライドされて取り外される。コネクタカバー４２は、ベース板４０が係止位置に係止されているときは筐体１６の側壁８６により自由端側への移動が規制されて取り外しが不可能となり、前記係止を解除してベース板４０を起立位置に移動させると取り外しが可能となる。【選択図】図６
2008168018.tif 000002
【特許請求の範囲】
【請求項１】
基板側コネクタを備えた回路基板が基板ケースの内部に収納され、この基板ケースに形成された開口を通して遊技機各部からのハーネスの先端に設けられたハーネス側コネクタと前記基板側コネクタとの接続が行われる遊技機において、
前記基板ケースが表面側に固定され、遊技機筐体内の所定位置に保持されるベース板と、
前記ベース板に着脱自在に装着され、前記基板側コネクタに接続されたハーネス側コネクタを抜き取りできないように覆うコネクタカバーと、
前記ベース板が前記所定位置に保持されていない状態では前記コネクタカバーの着脱操作を許容し、前記ベース板が前記所定位置に保持された状態では前記コネクタカバーの着脱操作を禁止する規制手段とを備えたことを特徴とする遊技機。
【請求項２】
前記ベース板は、一端側が前記遊技機筐体の内壁に取り付けられ、この一端側を中心に、裏面を前記内壁に対面させた前記所定位置と、前記裏面を前記内壁に略垂直にした起立位置との間で回動自在に設けられ、前記ベース板を前記所定位置に係止するロック手段により係止されて前記所定位置に保持されるとともに、前記ロック手段による係止を解除することで前記起立位置への移動が可能となっており、
前記コネクタカバーは、前記一端側とは反対側の他端側から前記一端側へスライド移動されて前記ベース板に取り付けられており、
前記規制手段は、前記ベース板が前記所定位置にあるときに、前記コネクタカバーの前記一端側から前記他端側への移動を規制して、前記コネクタカバーの取り外しを不可能にすることを特徴とする請求項１記載の遊技機。
【請求項３】
前記ロック手段は、前記内壁に立設された柱状の本体と、前記本体の側方に突出するように設けられ、前記内壁に平行な面内で回動されるロック部材とを備え、
前記ロック部材は、前記ベース板を所定位置に保持する際に、前記コネクタカバーの表面側に配置されて、前記ベース板の前記起立位置への移動を規制するとともに、
前記本体は、前記ベース板が前記所定位置にあるときに、前記コネクタカバーの他端側近傍に位置するように設けられ、前記規制手段として機能することを特徴とする請求項２記載の遊技機。
【請求項４】
前記遊技機筐体は、前記内壁に略垂直な内側壁を備えるとともに、
前記所定位置にある前記ベース板の前記他端側から前記内側壁までの距離が、前記コネクタカバーのスライド方向の長さよりも短くなるように前記ベース板が配置され、
前記内側壁が、前記規制手段として機能することを特徴とする請求項２記載の遊技機。
【請求項５】
前記ベース板は、前記所定位置に保持された状態では裏面側が露呈されておらず、前記所定位置に保持されていない状態では裏面側を露呈させることが可能であり、
前記規制手段は、前記ベース板の裏面側から前記コネクタカバーを係止する係止手段であることを特徴とする請求項１記載の遊技機。
【発明の詳細な説明】
【技術分野】
【０００１】
本発明は、パチンコ機やスロットマシンなどの遊技機に関するものである。
【背景技術】
【０００２】
パチンコ機やスロットマシンなどの遊技機は、その内部に、遊技機の各部を駆動制御する制御回路が設けられた回路基板を備えている。また、回路基板には、遊技機各部からのハーネスの先端に設けられたハーネス側コネクタを接続するための基板側コネクタが設けられている。
【０００３】
回路基板は、封印処理された基板ケースに収納するなどされており、制御回路を不正に改造できないようになっている。しかし、最近では、ハーネスを、特殊なＩＣチップが埋め込まれた変造ハーネスと交換し、電気信号の変換等を行う不正行為が問題になっている。
【０００４】
変造ハーネスへの交換を防止する工夫として、特許文献１に記載された従来技術が知られている。この従来技術では、回路基板を収納するケースにハーネスを通す開口部が設けられ、ケースに収納された回路基板にはハーネスの先端部に設けられたコネクタが接続されている。回路基板に接続されたコネクタは、基板ケースの開口部から押し込まれるストッパ部材により固定される。このストッパ部材には、基板ケースの開口部に進入する時に弾性変形し、基板ケースの開口部を通過すると開口部よりも大きく広がる弾性片が形成されている。ハーネスを引き抜こうとする力が働くと、ハーネスのコネクタがストッパ部材により押さえられ、コネクタに押されたストッパ部材は基板ケースの内壁面に弾性片を押し付ける。ストッパ部材を基板ケースの開口部から引き抜くことはできないため、コネクタを引く抜くことも不可能であり、変造ハーネスへの交換を防止できる。
【特許文献１】特開２００５−３２３７２８号公報
【発明の開示】
【発明が解決しようとする課題】
【０００５】
しかしながら、上記従来技術では、変造ハーネスへの交換を防止するためにハーネスの着脱が全く行えなくなるため、遊技店の従業員が遊技機の清掃やメンテナンスを行う時にハーネスが邪魔になる場合でもこれを退けることができないという欠点がある。
【０００６】
本発明は、上記問題点を考慮してなされたものであり、ハーネスの着脱を可能にしながらもハーネスが不正に交換されてしまうことを防止した遊技機を提供することを目的とする。
【課題を解決するための手段】
【０００７】
上記目的を達成するために本発明の遊技機は、基板側コネクタを備えた回路基板が基板ケースの内部に収納され、この基板ケースに形成された開口を通して遊技機各部からのハーネスの先端に設けられたハーネス側コネクタと前記基板側コネクタとの接続が行われる遊技機において、前記基板ケースが表面側に固定され、遊技機筐体内の所定位置に保持されるベース板と、前記ベース板に着脱自在に装着され、前記基板側コネクタに接続されたハーネス側コネクタを抜き取りできないように覆うコネクタカバーと、前記ベース板が前記所定位置に保持されていない状態では前記コネクタカバーの着脱操作を許容し、前記ベース板が前記所定位置に保持された状態では前記コネクタカバーの着脱操作を禁止する規制手段とを備えたことを特徴としている。
【０００８】
前記ベース板は、一端側が前記遊技機筐体の内壁に取り付けられ、この一端側を中心に、裏面を前記内壁に対面させた前記所定位置と、前記裏面を前記内壁に略垂直にした起立位置との間で回動自在に設けられ、前記ベース板を前記所定位置に係止するロック手段により係止されて前記所定位置に保持されるとともに、前記ロック手段による係止を解除することで前記起立位置への移動が可能となっており、前記コネクタカバーは、前記一端側とは反対側の他端側から前記一端側へスライド移動されて前記ベース板に取り付けられており、前記規制手段は、前記ベース板が前記所定位置にあるときに、前記コネクタカバーの前記一端側から前記他端側への移動を規制して、前記コネクタカバーの取り外しを不可能にするものでもよい。
【０００９】
また、前記ロック手段は、前記内壁に立設された柱状の本体と、前記本体の側方に突出するように設けられ、前記内壁に平行な面内で回動されるロック部材とを備え、前記ロック部材は、前記ベース板を所定位置に保持する際に、前記コネクタカバーの表面側に配置されて、前記ベース板の前記起立位置への移動を規制するとともに、前記本体は、前記ベース板が前記所定位置にあるときに、前記コネクタカバーの他端側近傍に位置するように設けられ、前記規制手段として機能するものでもよい。
【００１０】
さらに、前記遊技機筐体は、前記内壁に略垂直な内側壁を備えるとともに、前記所定位置にある前記ベース板の前記他端側から前記内側壁までの距離が、前記コネクタカバーのスライド方向の長さよりも短くなるように前記ベース板が配置され、前記内側壁が、前記規制手段として機能するものでもよい。
【００１１】
また、前記ベース板は、前記所定位置に保持された状態では裏面側が露呈されておらず、前記所定位置に保持されていない状態では裏面側を露呈させることが可能であり、前記規制手段は、前記ベース板の裏面側から前記コネクタカバーを係止する係止手段であってもよい。
【発明の効果】
【００１２】
本発明によれば、ベース板が所定位置に保持された状態では、コネクタカバーを取り外せなくなるので、ハーネスが不正に交換されてしまうといったことがない。また、ベース板が所定位置に保持されていない状態では、コネクタカバーを取り外せるようになるので、清掃やメンテナンスを行う時に便利である。
【発明を実施するための最良の形態】
【００１３】
図１、図２に示すように、スロットマシン（遊技機）１０は、本体１２の前面側に前面扉１４が設けられ、背面側に筐体１６が設けられている。筐体１６は、前面が開口した箱状に形成され、前面扉１４は、筐体１６に回動自在に設けられ、筐体１６の開口を開閉する。前面扉１４の中央部には、メダル投入口１８、スタートレバー２０、第１〜第３のストップボタン２２、２４、２６が設けられている。また、前面扉１４の上部には表示窓２８が設けられ、前面扉１４の下部には受け皿３０が設けられている。
【００１４】
筐体１６の内部には、第１〜第３のリール３２、３４、３６が設けられており、各リール３２、３４、３６の外周面には複数種類の図柄が配列されている。各リール３２、３４、３６は、メダル投入口１８にメダルを投入してスタートレバー２０を操作することで回転を開始する。また、各リール３２、３４、３６は、各ストップボタン２２、２４、２６の操作に対応して停止する。各リール３２、３４、３６が停止すると、１リールあたり３個の図柄が表示窓２８に表示される。表示窓２８に表示された図柄の組み合わせは当選役抽選の結果を表すものであり、図柄が揃って入賞すると受け皿３０に規定枚数のメダルが払い出される。
【００１５】
また、筐体１６の内部には、各リール３２、３４、３６の上方にベース板４０が設けられており、このベース板４０には、コネクタカバー４２が取り付けられている。詳しくは後述するが、スロットマシン１０では、コネクタカバー４２によりコネクタ４４（図３参照）を覆い、コネクタ４４を着脱できないようにすることで、ハーネス４６（図３参照）の不正な交換を防止している。また、スロットマシン１０では、清掃やメンテナンス時の便宜を図るため、所定の手順を踏むことでコネクタカバー４２を取り外して、ハーネス４６を着脱できるようにしている。
【００１６】
図３、図４に示すように、ベース板４０は、長方形の板状に形成され、長手方向の一側部が固定端、他側部が自由端となっており、固定端がヒンジ５０を介して筐体１６の奥壁５２に取り付けられている。そして、ベース板４０は、図４に示すように、背面（裏面）を奥壁５２に対面させた係止位置（所定位置）と、図５、図６に示すように、背面を奥壁５２に略垂直にした起立位置との間で回動自在に保持される。ベース板４０は、通常は係止位置にセットされているが、清掃やメンテナンスの際には起立位置に移動される。
【００１７】
ベース板４０の近傍には、ベース板ロック機構（ロック手段）５４が設けられている。図７に示すように、ベース板ロック機構５４は、円柱状に形成された本体５６、並びに、本体５６の側面から突出するように設けられ、図７に実線で示すロック位置と、図７に破線で示すロック解除位置との間で回動されるロック部材５８を備えている。本体５６は、係止位置にセットされたベース板４０の自由端近傍に位置するように奥壁５２に立設されている。また、本体５６の一端には鍵穴６０が形成されており、鍵穴６０に所定の鍵６１を差し込んだ後、この鍵６１を本体５６の軸回りに回動させることでロック部材５８を移動できるようになっている。
【００１８】
ベース板４０を係止位置にセットした後、ロック部材５８をロック位置へ移動させると、ベース板４０の前面にロック部材５８が配置される。これにより、ロック部材５８と筐体１６の奥壁５２とによりベース板４０の移動が規制され、ベース板４０が係止位置に係止（保持）される。他方、ロック部材５８をロック解除位置へ移動させることで、ベース板４０の前面からロック部材５８が退避して、ベース板４０の係止が解除される。これにより、ベース板４０を起立位置へ移動させることが可能となる。
【００１９】
図３に戻り、ベース板４０の前面（表面）には、基板ケース６２が配置され、基板ケース６２には、制御基板（回路基板）６４が収納されている。制御基板６４には、スロットマシン１０の各部を駆動制御する制御回路６６が設けられ、コネクタ４４を介して、スロットマシン１０の各部に接続されている。コネクタ４４は、雌コネクタ（基板側コネクタ）６８と、この雌コネクタ６８に差し込まれる雄コネクタ（ハーネス側コネクタ）７０とからなる。
【００２０】
雌コネクタ６８は、制御基板６４に取り付けられ、その差し込み口６８ａが基板ケース６２に形成された開口７１から露呈されている。雄コネクタ７０は、スロットマシン１０の各部から延びるハーネス４６の先端に接続されている。そして、雌コネクタ６８に雄コネクタ７０を差し込むことで、スロットマシン１０の各部が制御回路６６に接続される。なお、基板側に雌コネクタを設けハーネス側に雄コネクタを設ける例で説明をしたが、雄雌のコネクタを逆にしてもよい。また、基板側のコネクタが基板ケースから突出している例で説明をしたが、基板側のコネクタを基板ケースに形成された開口の奥に収めてもよい。
【００２１】
基板ケース６２は、カシメネジ７２によりベース板４０に固定される。図８（Ａ）に示すように、カシメネジ７２は、本体７４と、この本体７４に挿通されるロックピン７６とから構成され、本体７４の先端には複数の係止爪７８が形成され、本体７４の後端には押さえ片８０が形成されている。カシメネジ７２は、初めに本体７４がベース板４０の背面側から、ベース板４０と基板ケース６２とが重なり合う部分を貫通するように設けられた開口８２に挿通される。この後、同図（Ｂ）に示すように、本体７４にロックピン７６が挿通される。これにより、係止爪７８同士の間隔が離れ、基板ケース６２がベース板４０に固定される。基板ケース６２を取り外す際には、本体７４からロックピン７６引き抜く必要があり、この作業はベース板４０の背面側から行う必要がある。このため、ベース板４０が係止位置に係止されているときは基板ケース６２をベース板４０から取り外すことができない。これにより、制御回路６６の不正な交換を防止できる。
【００２２】
再度、図３に戻り、コネクタカバー４２は、透明な材料を用いて幅方向の断面が略コ字型に形成されるとともに、幅方向両側部にそれぞれスライド溝８４が設けられている。そして、コネクタカバー４２は、スライド溝８４をベース板４０の幅方向両側部に係合させるように、ベース板４０の自由端から固定端へ向けてスライド移動されることによって、ベース板４０に取り付けられる。コネクタカバー４２がベース板４０に取り付けられることで、コネクタ４４と、基板ケース６２とが覆われ、これらをベース板４０から取り外すことができなくなる。コネクタカバー４２は、ベース板４０に取り付けられた際に、コネクタ４４や基板ケース６２との間の隙間を最小限に抑えるようにその高さが決定される。こうすることで筐体１６の内部スペースを有効活用できる。
【００２３】
また、図４に示すように、コネクタカバー４２の長手方向の長さＬ１は、係止位置にセットされたベース板４０の自由端から筐体の側壁８６までの距離Ｌ２に対して十分に長く形成されている。これにより、ベース板４０が係止位置にセットされているときは、コネクタカバー４２を取り外そうとして、コネクタカバー４２をベース板４０の自由端側へ向けて移動させても、コネクタカバー４２がベース板４０から外れる前に、コネクタカバー４２が筐体１６の側壁（内側壁（規制手段））８６に当たり、コネクタカバー４２をベース板４０から取り外すことができない。他方、図５に示すように、ベース板４０が起立位置に移動された場合は、図６に示すように、コネクタカバー４２をベース板４０の自由端側へ向けて移動させて、ベース板４０から取り外すことができる。
【００２４】
このように、スロットマシン１０では、ベース板ロック機構によりベース板を係止位置に係止することで、コネクタカバーを取り外すことができなくなる。このため、ハーネスを不正に交換するといったことを防止できる。また、コネクタカバーは透明なので、コネクタカバーが取り付けられていてもコネクタカバーの内部を視認することができる。このため、万が一ハーネスが不正に交換された場合でも、その痕跡を発見し易い。また、所定の鍵を用いてベース板の係止を解除し、ベース板を起立位置に移動させれば、コネクタカバーを取り外すことができる。このため、清掃やメンテナンスの際に、ハーネスを着脱でき便利である。さらに、スロットマシン１０では、ベース板を起立位置に移動させることでベース板からコネクタカバー、ハーネス、基板ケースを取り外すことができるので、これら各部材を取りはすし不可能な状態でベース板に取り付ける場合と比較して、各部材のリサイクル性も高い。
【００２５】
なお、本発明は、ベース板を係止位置に係止することでコネクタカバーの取り外しを不可能とし、ハーネスの不正な交換を防止するとともに、ベース板の係止を解除することによってコネクタカバーを取り外してハーネスの着脱を行えればよいので、細部の構成は上記実施形態に限定されるものではなく適宜変更できる。例えば、上記実施形態では、コネクタカバーが透明な例で説明をしたが、コネクタカバーは透明でなくてもよい。
【００２６】
また、例えば、コネクタカバーのうちハーネスと対面する部分に、ハーネスを通すための溝を設けてもよい。こうすることによって、コネクタカバーの高さをより低く抑え筐体内のスペースをより有効活用できる。また、ハーネスの無駄な動きを規制して、ハーネスの損傷を防ぐことができる。
【００２７】
さらに、上記実施形態では、カシメネジを用いてベース板に基板ケースを取り付ける例で説明をしたが、ベース板の背面側からネジ止めすることによってベース板に基板ケースを取り付けてもよい。この場合も、ベース板から基板ケースを取り外す際には、ベース板の背面側からネジを回す必要があり、ベース板が係止位置にあるときには基板ケースを取り外すことができないので、上記実施形態と同様の効果を得ることができる。
【００２８】
また、上記実施形態では、制御基板を基板ケースに収納する例で説明をしたが、基板ケースを廃止し、制御基板を直接ベース板に取り付けるようにしてもよい。さらに、上記実施形態では、コネクタカバーによりベース板の前面全体を覆う例で説明をしたが、コネクタカバーによりコネクタのみを覆うようにしてもよい。ただし、基板ケースを廃止する場合は、コネクタカバーから制御回路が露呈されていると、制御回路が不正に交換または改造されてしまう恐れがあるので、コネクタカバーにより、コネクタ及び制御回路を覆うことが好ましい。
【００２９】
さらに、上記実施形態では、筐体の側壁によりコネクタカバーの移動を規制することによって、ベース板が係止位置にあるときにコネクタカバーを取り外せないようにする例で説明をしたが、本発明はこれに限定されるものではない。例えば、コネクタカバーの取り外し方向前方に、筐体の側壁と同様の機能を果たすストッパなどの移動規制部材（規制手段）を設け、ベース板が係止位置にあるときにコネクタカバーが取り外せないようにしてもよい。
【００３０】
また、図９に示すベース板ロック機構９０によりベース板４０を係止位置に係止するとともに、コネクタカバー４２の移動を規制するといったことも考えられる。なお、図９以降の図面においては、上述した実施形態と同様の部材については同様の符号を付して説明を省略している。
【００３１】
図９において、ベース板ロック機構（ロック手段）９０は、円柱状の本体（規制手段）９２と、本体９２の側面から突出するように設けられたロック部材９４とから構成されている。本体９２は、前述したベース板ロック機構５４（図４、図５、図６、図７参照）の本体５６よりも長く形成されている。ロック部材９４は、本体９２の一端に形成された鍵穴９６に所定の鍵（図示せず）を差し込んだ後、この鍵を本体９２の軸回りに回動させることで、図９に実線で示すロック位置と、図９に破線で示すロック解除位置との間で回動する。
【００３２】
ベース板４０を係止位置にセットした後、ロック部材９４をロック位置へ移動させると、コネクタカバー４２の前面側にロック部材９４が配置される。これにより、ベース板４０が係止位置に係止される。また、ベース板４０が係止位置に係止された状態では、本体９２がコネクタカバー４２の取り外し方向前方に配置される。これにより、コネクタカバー４２を取り外すことができない。
【００３３】
他方、ロック部材９４をロック解除位置へ移動させることで、コネクタカバー４２の前面からロック部材９４が退避して、ベース板４０の係止が解除される。これにより、ベース板４０を起立位置へ移動させることが可能となる。また、ベース板４０が起立位置に移動された状態では、コネクタカバー４２の移動が規制されないのでコネクタカバー４２を取り外すことができる。
【００３４】
さらに、図１０、図１１に示す係止爪（規制手段）１００により、コネクタカバー１０２の移動を規制するといったことも考えられる。図１０において係止爪１００は、係止位置に係止されたベース板４０の背面と対向するように、奥壁５２に設けられている。また、コネクタカバー１０２は、固定端側の一側部が大型に形成されている。この固定端側の一側部は、ベース板４０に取り付けられた際にベース板４０の背面側に配置される部分であり、ここに係止爪１００と係合する開口１０４が設けられている。そして、コネクタカバー１０２は、ベース板４０が係止位置に係止された状態で、ベース板４０の自由端側から固定端側へスライドされ、ベース板４０に取り付けられる。
【００３５】
図１１（Ａ）、（Ｂ）、（Ｃ）に示すように、係止爪１００は、ベース板４０の自由端側から固定端側へ向かうにつれてその高さが高くなるように形成されている。そして、係止爪１００は、同図（Ａ）、（Ｃ）に示すように、奥壁５２から突出する突出位置と、同図（Ｂ）に示すように、奥壁５２に形成された収納室１０６に押し込まれた収納位置との間で移動自在に設けられており、バネ１０８により突出位置へ向けて付勢されている。
【００３６】
図１１（Ａ）、（Ｂ）に示すように、係止爪１００は、コネクタカバー１０２を取り付ける際に、コネクタカバー１０２の固定端側の一側部により押し下げられて収納位置に移動される。そして、同図（Ｃ）に示すように、係止爪１００は、コネクタカバー１０２が取り付けられるとバネ１０８の付勢により突出位置に移動して開口１０４と係合する。これにより、コネクタカバー１０２を取り外すことができなくなる。コネクタカバー１０２を取り外す際には、ベース板４０の係止を解除してコネクタカバー１０２を起立位置へ移動させる。これにより、係止爪１００と開口１０４との係合が解除され、コネクタカバー１０２を取り外すことができる。
【００３７】
また、上記実施形態では、コネクタカバーをスライドさせてベース板に取り付ける例で説明をしたが、基板ケースと同様の方法、すなわち、コネクタカバーをベース板の背面側からネジやカシメネジなどの係止手段により係止してもよい。この場合、係止手段が規制手段として機能する。そして、ベース板からコネクタカバーを取り外す際には、ベース板の背面側から作業を行う必要がある。このため、ベース板が係止位置にあるときにはコネクタカバーを取り外すことができない。また、ベース板を起立位置に移動させることでコネクタカバーを取り外すことができる。これにより、上記実施形態と同様の効果を得ることができる。もちろん、コネクタカバーをスライドさせてベース板に取り付けた後、さらに、ベース板の背面側からネジ、カシメネジなどの係止手段（規制手段）により係止してもよい。
【００３８】
さらに、上記実施形態では、ベース板を回動自在に設ける例で説明をしたが、図１２、図１３に示すように、ベース板１２０を筐体１６の奥壁５２に着脱自在に設けてもよい。  図１２、図１３において、奥壁５２には、Ｌ字形状に形成された４つの位置決め突起１２２、及び、２つのベース板ロック機構１２４、１２６が設けられている。
【００３９】
ベース板ロック機構（ロック手段）１２４、１２６は、それぞれ、図１２に示すロック位置と、図１３に示すロック解除位置との間で移動自在のロック部材１２８、１３０を備えており、鍵穴１３２、１３４に所定の鍵（図示せず）を差し込んで回転させることでこれらロック部材１２８、１３０を移動できるようになっている。ベース板１２０は、その背面を奥壁５２に対面させるように４つの位置決め突起１２２の内側に配置された後、ロック部材１２８、１３０をロック位置へ移動させることによって奥壁５２に係止される。
【００４０】
ベース板１２０の前面には、制御基板６４、及び、制御基板６４を覆うコネクタカバー１３６が設けられている。コネクタカバー１３６は、高さをできるだけ低く抑え、筐体１６の内部スペースを有効活用できるように、背面側にハーネス４６を通す為の溝部１３８が形成されている。そして、コネクタカバー１３６は、ベース板１２０の背面側からネジ（係止手段（規制手段））１４０によりネジ止めされてベース板１２０に係止される。
【００４１】
このような構成によっても、ベース板１２０を奥壁５２に係止することによってコネクタカバー１３６を取り外すことが不可能となり、ハーネス４６の不正な交換を防止できる。また、ベース板１２０の係止を解除してベース板１２０を奥壁５２から取り外すことにより、ネジ１４０を回してコネクタカバー１３６を取り外すことができるので、清掃やメンテナンスの際に便利である。
【００４２】
なお、上記実施形態では、ロック部材を係止位置と係止解除位置との間で移動させるベース板ロック機構（ロック手段）を用いて、ベース板の係止またはこの係止の解除を行う例で説明をしたが、本発明はこれに限定されるものではない。ベース板の係止及びこの係止の解除は、周知の各種方法により行うことができるので、例えば、破壊することによって係止の解除が可能となるはめ殺しの係止ピンなどのロック手段によりベース板を遊技機本体に係止してもよい。
【００４３】
また、上記実施形態では、本発明をスロットマシンに適用する例で説明をしたが、本発明をスロットマシン以外の遊技機（例えば、パチンコ機）に適用してもよい。
【図面の簡単な説明】
【００４４】
【図１】スロットマシンの外観図である。
【図２】前面扉を開放した状態を示すスロットマシンの外観図である。
【図３】ベース板に基板ケースとコネクタカバーとが取り付けられている様子を示す分解図である。
【図４】ベース板が係止位置に係止されている様子を示す説明図である。
【図５】ベース板が起立位置に移動された様子を示す説明図である。
【図６】ベース板からコネクタカバーが取り外された様子を示す説明図である。
【図７】ロック部材移動する様子を示す説明図である。
【図８】カシメネジの外観図であり、（Ａ）は本体とロックピンとが分離された状態を示し、（Ｂ）は本体にロックピンが挿通された状態を示している。
【図９】ベース板ロック機構によりベース板の係止及びコネクタカバーの移動の規制を行う例を示す説明図である。
【図１０】係止爪によりコネクタカバーの移動を規制する例を示す説明図である。
【図１１】ベース板にコネクタカバーが取り付けられることで係止爪とコネクタカバーとが係合する様子を示す説明図である。
【図１２】ベース板が奥壁に着脱自在に取り付けられた状態を示す説明図である。
【図１３】ベース板からコネクタカバーが取り外された様子を示す分解図である。
【符号の説明】
【００４５】
１０  スロットマシン（遊技機）
１６  筐体
４０、１２０  ベース板
４２、１０２、１３６  コネクタカバー
４４  コネクタ
４６  ハーネス
５０  ヒンジ
５４、９０、１２４、１２６  ベース板ロック機構（ロック手段）
６２  基板ケース
６４  制御基板（回路基板）
６６  制御回路
６８  雌コネクタ（基板側コネクタ）
７０  雄コネクタ（ハーネス側コネクタ）
７２  カシメネジ
８６  側壁（内側壁（規制手段））
１００  係止爪（規制手段）
１３８  溝部
１４０  ネジ（係止手段（規制手段））
【図１】
2008168018.tif 000003
【図２】
2008168018.tif 000004
【図３】
2008168018.tif 000005
【図４】
2008168018.tif 000006
【図５】
2008168018.tif 000007
【図６】
2008168018.tif 000008
【図７】
2008168018.tif 000009
【図８】
2008168018.tif 000010
【図９】
2008168018.tif 000011
【図１０】
2008168018.tif 000012
【図１１】
2008168018.tif 000013
【図１２】
2008168018.tif 000014
【図１３】
2008168018.tif 000015